(57)【特許請求の範囲】
【請求項１】
一対の飾り柱と、
上記一対の飾り柱の内部に組み込まれるスピーカユニットと、
上記飾り柱の夫々に設けられたフラットパネルディスプレイを固定するための柱側固定機構と、
を具備することを特徴とするスピーカシステム。
【請求項２】
前記柱側固定機構は、前記フラットパネルディスプレイの上側を固定するための上側固定部材と、前記フラットパネルディスプレイの下側を固定するための下側固定部材と、から構成されており、上記上側固定部材は該上側固定部材の取付側から離間する端部側が、該上側固定部材の取付側よりも下側に位置すると共に、上記下側固定部材の取付側から離間する端部側が、該下側固定部材の取付側よりも下側に位置し、さらに上記下側固定部材の取付側から端部側に向かう傾斜角度が、上記上側固定部材の取付側から端部側に向かう傾斜角度よりも緩やかとなるように設けられていることを特徴とする請求項１記載のスピーカシステム。
【請求項３】
前記下側固定部材には、前記フラットディスプレイパネルの取付に供するネジ孔が形成されていることを特徴とする請求項２記載のスピーカシステム。
【請求項４】
一対の飾り柱と、
上記一対の飾り柱の内部に組み込まれるスピーカユニットと、
上記飾り柱の夫々に設けられたスクリーンを固定するための柱側固定機構と、
を具備することを特徴とするスピーカシステム。
【請求項５】
一対の飾り柱と、
上記一対の飾り柱の内部に組み込まれるスピーカユニットと、
上記一対の飾り柱のうち、一方の飾り柱に取り付けられると共に、スクリーンの収納及び収納状態からの引き出しを可能とするスクリーン内蔵機構と、
上記一対の飾り柱のうち、他方の飾り柱に取り付けられると共に、上記スクリーン内蔵機構から引き出された上記スクリーンを支持するスクリーン支持機構と、
を具備することを特徴とするスピーカシステム。
【請求項６】
前記スクリーン内蔵機構は前記一方の飾り柱の内部のスクリーン収納部に内蔵されると共に、前記他方の飾り柱の側面に前記スクリーン支持機構が設けられることを特徴とする請求項５記載のスピーカシステム。
【請求項７】
前記スクリーン支持機構は、引き出された前記スクリーンをマグネット吸着により支持することを特徴とする請求項５又は６記載のスピーカシステム。
【請求項８】
請求項１から３のいずれか１項に記載の柱側固定機構を具備すると共に、請求項４から７のいずれか１項に記載のスクリーンを具備することを特徴とするスピーカシステム。
【請求項９】
前記飾り柱の内部には、低音用スピーカユニットが内蔵されていることを特徴とする請求項１から８のいずれか１項に記載のスピーカシステム。
【請求項１０】
前記飾り柱の内部には、前記低音用スピーカユニットから出力される音が２手に分かれて進行する音響迷路部、及びこの音響迷路を進行した音が出力される出力ポートが設けられており、この音響迷路部のうち、一方の音響迷路に進行した音と他方の音響迷路に進行した音とが、略半波長ずれて上記出力ポートから出力されるように音響迷路の路長が設定されていることを特徴とする請求項９記載のスピーカシステム。
【請求項１１】
前記飾り柱の内部には、中高音用スピーカユニットが内蔵されていることを特徴とする請求項１から１０のいずれか１項に記載のスピーカシステム。
【請求項１２】
前記柱側固定機構に固定されるフラットディスプレイパネルには、この柱側固定機構に対して取付固定されるディスプレイ側固定機構が設けられていて、これら柱側固定機構とディスプレイ側固定機構とが取付固定されていることを特徴とする請求項１，２，３，８，９，１０又は１１に記載のスピーカシステムを用いたＡＶシステム。
【請求項１３】
前記ディスプレイ側固定機構は、前記フラットディスプレイパネルの上側に取付固定される上側固定金具と該フラットディスプレイパネルの下側に取付固定される下側固定金具とから構成されていて、このうち上側固定金具は前記上側固定部材と係合すると共に該上側固定部材の取付側から端部側に向かう傾斜角度に倣うように設けられていることを特徴とする請求項１２記載のスピーカシステムを用いたＡＶシステム。
【発明の詳細な説明】
【０００１】
【発明の属する技術分野】
本発明は、スピーカシステム及びこのスピーカシステムを用いたＡＶ（Audio Video）システムに関する。
【０００２】
【従来の技術】
近年、ＰＤＰ（Plasma Display Panel）等のフラットパネルディスプレイが、ブラウン管型テレビに置き換わる次世代型テレビ・ディスプレイとして普及し始めている。かかるフラットパネルディスプレイは、現状のブラウン管型テレビと比較して薄く、さらに同じ画面サイズであればブラウン管型テレビよりも軽い。このため、画面サイズの大型化に適したものとなっている。
【０００３】
かかるＰＤＰ等のフラットパネルを室内において固定する場合、現状における代表的な手法としては、壁に取付金具を取り付け、該取付金具を介してフラットディスプレイを固定するものがある。また、他の手法としては、取り付け用の部材を有するスタンドに取り付けるものがある。
【０００４】
また、上述のフラットパネルディスプレイとは別に、大型かつフラットなディスプレイとして、プロジェクターから出射される映像を映し出すためのプロジェクター用のスクリーンがある。かかるプロジェクター用のスクリーンには、天井に取り付けられるタイプ、床に置くタイプのものがある。
【０００５】
【発明が解決しようとする課題】
ところで、上述のように、壁に取付金具を取り付けて、該取付金具を介してフラットパネルディスプレイを取付固定する場合には、壁の強度の面から問題がある。すなわち、通常の家の壁は石膏ボード等で構成されているため、壁につける取付金具では、支持強度が十分に得られず、重量が４０ｋｇ前後もあるディスプレイを支えるのには強度的に問題がある。また、壁内部の柱等の構造体がある場所に取付金具を固定しようとすると、該構造体は特定の場所にしか存在しないため、取り付け場所が制限されてしまう。
【０００６】
さらに、ディスプレイをスタンドに取り付ける場合には、スタンドの足の奥行き分だけスペースを占有するため、フラットパネルディスプレイの薄さによる利点を阻害してしまう。
【０００７】
また、プロジェクター用のスクリーンを天井に取り付ける場合には、天井の強度が問題になったり、見た目が邪魔となったりすることがある。
【０００８】
本発明は、上記の事情に基づきなされたもので、その目的とするところは、スペース効率が良好であり、十分な強度を有すると共に、フラットパネルディスプレイの支持とスクリーンの収納とを行えるスピーカシステム及びこのスピーカシステムを用いたＡＶシステムを提供しようとするものである。
【０００９】
【課題を解決するための手段】
上述の目的を達成するため、本発明のスピーカシステムは、一対の飾り柱と、一対の飾り柱の内部に組み込まれるスピーカユニットと、飾り柱の夫々に設けられたフラットパネルディスプレイを固定するための柱側固定機構と、を具備するものである。
【００１０】
また、他の発明は、上述のスピーカシステムの発明に加えて更に、柱側固定機構は、フラットパネルディスプレイの上側を固定するための上側固定部材と、フラットパネルディスプレイの下側を固定するための下側固定部材と、から構成されており、上側固定部材は該上側固定部材の取付側から離間する端部側が、該上側固定部材の取付側よりも下側に位置すると共に、下側固定部材の取付側から離間する端部側が、該下側固定部材の取付側よりも下側に位置し、さらに下側固定部材の取付側から端部側に向かう傾斜角度が、上側固定部材の取付側から端部側に向かう傾斜角度よりも緩やかとなるように設けられるものである。
【００１１】
さらに、他の発明は、上述の発明に加えて更に、下側固定部材には、フラットディスプレイパネルの取付に供するネジ孔が形成されているものである。
【００１２】
また、他の発明は、スピーカシステムに係る発明であり、一対の飾り柱と、一対の飾り柱の内部に組み込まれるスピーカユニットと、飾り柱の夫々に設けられたスクリーンを固定するための柱側固定機構と、を具備するものである。
【００１３】
さらに、他の発明は、スピーカシステムに係る発明であり、一対の飾り柱と、一対の飾り柱の内部に組み込まれるスピーカユニットと、一対の飾り柱のうち、一方の飾り柱に取り付けられると共に、スクリーンの収納及び収納状態からの引き出しを可能とするスクリーン内蔵機構と、一対の飾り柱のうち、他方の飾り柱に取り付けられると共に、スクリーン内蔵機構から引き出されたスクリーンを支持するスクリーン支持機構と、を具備するものである。
【００１４】
また、他の発明は、上述の発明に加えて更に、スクリーン内蔵機構は一方の飾り柱の内部のスクリーン収納部に内蔵されると共に、他方の飾り柱の側面にスクリーン支持機構が設けられるものである。
【００１５】
さらに、他の発明は、上述の各発明に加えて更に、スクリーン支持機構は、引き出されたスクリーンをマグネット吸着により支持するものである。
【００１６】
また、他の発明は、スピーカシステムに係る発明であり、上述の柱側固定機構と、上述のスクリーンとを兼ね備えるものである。
【００１７】
さらに、他の発明は、上述の各発明に加えて更に、飾り柱の内部には、低音用スピーカユニットが内蔵されているものである。
【００１８】
また、他の発明は、上述の発明に加えて更に、飾り柱の内部には、低音用スピーカユニットから出力される音が２手に分かれて進行する音響迷路部、及びこの音響迷路を進行した音が出力される出力ポートが設けられており、この音響迷路部のうち、一方の音響迷路に進行した音と他方の音響迷路に進行した音とが、略半波長ずれて出力ポートから出力されるように音響迷路の路長が設定されているものである。
【００１９】
さらに、他の発明は、上述の各発明に加えて更に、飾り柱の内部には、中高音用スピーカユニットが内蔵されているものである。
【００２０】
また、他の発明は、上述のスピーカシステムの各発明を用いたＡＶシステムの発明であり、柱側固定機構に固定されるフラットディスプレイパネルには、この柱側固定機構に対して取付固定されるディスプレイ側固定機構が設けられていて、これら柱側固定機構とディスプレイ側固定機構とが取付固定されるものである。
【００２１】
さらに、他の発明は、上述の各発明に加えて更に、ディスプレイ側固定機構は、前記フラットディスプレイパネルの上側に取付固定される上側固定金具と該フラットディスプレイパネルの下側に取付固定される下側固定金具とから構成されていて、このうち上側固定金具は上側固定部材と係合すると共に該上側固定部材の取付側から端部側に向かう傾斜角度に倣うように設けられるものである。
【００２２】
【発明の実施の形態】
（第１の実施の形態）
以下、本発明の第１の実施の形態について、図１から図７に基づいて説明する。図１は本発明のスピーカシステムを用いたＡＶシステム１０の構成を示す斜視図であり、スピーカシステムを構成する２つの飾り柱１１，１２の間にフラットパネルディスプレイ５０を固定した状態を示す図である。また、図２は図１のスピーカシステム１０において、飾り柱１１，１２の内部と固定部分の状態を示す図である。また、図３は、図１のスピーカシステム１０においてフラットパネルディスプレイ５０の取付固定部分の側面図である。
【００２３】
図１に示すＡＶシステム１０では、床１から始まって天井２まで届く、２つの飾り柱１１，１２を有している。なお、飾り柱１１，１２の長さの一例としては、長手方向の長さ（＝高さ）Ｌ１が２４００ｍｍ、幅Ｌ２が２０２ｍｍ、奥行きＬ３が５５ｍｍとなっていて、長方体のリサイクル材から構成されている。
【００２４】
しかしながら、飾り柱１１，１２の長さは床１から天井２までのものには限られず、飾り柱１１，１２の背面を壁面３に取付固定する等によって、床１から所定の長さまでとする等、変形可能である。また、床１から天井２までの長さを補正するために、飾り柱１１，１２に取り付けられる別途の長さ補正用部材を設けても良く、飾り柱１１，１２に長さ調整手段を設けるようにしても良い。
【００２５】
なお、飾り柱１１，１２は、奥行き（＝厚さ）が、後述するフラットパネルディスプレイ５０よりも薄くなるように設けられている。
【００２６】
この飾り柱１１，１２の内部には、空間部（空洞）２０が形成されている。そして、この空間部２０が適宜の仕切り部材によって区画されることにより、該飾り柱１１，１２の内部に中高音用スピーカ保持部２１、低音用スピーカ保持部２２、及び音響迷路部２３が形成されている。なお、飾り柱１１，１２は、図１及び図２における紙面奥側の面が壁面３に固定されることで、この飾り柱１１，１２が壁面３から前方へ突出するように取り付けられる。
【００２７】
飾り柱１１，１２の設置状態において、向かう合う木口部分である側面１１ａ，１２ａと反対側の木口部分である側面１１ｂ，１２ｂには、長手方向における両端近傍に夫々１つ、及び中央近傍に２つの計４つの通孔２４ａ〜２４ｄが設けられている。通孔２４ａ〜２４ｄは、飾り柱１１，１２の空間部２０に通じるものであり、ここから音の出力を行うものである。また、該飾り柱１１，１２が互いに向かい合う側面１１ａ，１２ａには、長手方向の中央近傍で通孔２４ｂの反対側にも通孔２４ｅが設けられている。この通孔２４ｅも、飾り柱１１，１２の空間部２０に通じており、ここから音の出力を行うものである。
【００２８】
なお、本実施の形態では、飾り柱１１，１２の側面１１ｂ，１２ｂの長手方向の両端に設けられた夫々２つの通孔２４ａ，２４ｄが、後述する低音用スピーカユニット４０から出力される音を空間部２０から外部へ出力するための出力ポート２５となっている。また、本実施の形態では、飾り柱１１，１２の側面１１ｂ，１２ｂに２つ、側面１１ａ，１２ａに１つ設けられた、計３つ（２本では計６つ）の通孔２４ｂ，２４ｃ，２４ｅが、後述する中高音用スピーカユニット３０から音を出力させるための開口部２６ａ〜２６ｃとなっている。
【００２９】
このうち、開口部２６ａ，２６ｂは、側面１１ｂ，１２ｂ側に面していて、さらに上から開口部２６ａ、続いて開口部２６ｂと、上下方向に近接配置されている。また、開口部２６ｃは、側面１１ａ，１２ａ側に面していて、開口部２６ａと対応する高さ位置に設けられている。それによって、開口部２６ｂに対応する高さ位置には中高音用スピーカユニット３０が存せず、フラットパネルディスプレイ５０と干渉しない構成となる。
【００３０】
図２に示すように、中高音用スピーカ保持部２１には、ＡＶシステム１０の一部である、中高音用スピーカユニット３０が夫々上述の開口部２６ａ〜２６ｃからその前面が外部に向かうように配置されている。なお、各中高音用スピーカユニット３０は、中高音用スピーカ保持部２１内で仕切り部材によってさらに仕切られた小さなスピーカ室３１内に配置されている。
【００３１】
この中高音用スピーカユニット３０は、細長い、いわゆるトラック型のスピーカである。また、中高音用スピーカユニット３０は、横方向に隣接する２つの中高音用スピーカユニット３０の一方（図２において左側に配置されるもの）がＬ信号、他方（図２において右側に配置されるもの）がＲ信号を出力することで、ステレオのＬＲ信号が再生できるように取り付けられている。
【００３２】
ここで、中高音用スピーカユニット３０は、上下方向においては振動板（図示省略）の幅が比較的長く指向性は狭いが、本実施の形態では、中高音用スピーカユニット３０が部屋の高さの中央付近に配置されることで、指向性の問題は生じない。すなわち、部屋の高さの中央付近は、人が椅子に座った部分における耳の高さと略同一である。そのため、中高音用スピーカユニット３０から所定距離だけ離れることで、高さ（上下）方向においては室内のどの場所でも、立っても座ってでも、或いは床に寝転んでいても、問題なく中高音域の音を聴取することができる。
【００３３】
また、中高音用スピーカユニット３０は、図２における紙面手前及び奥行き方向においては振動板の幅が比較的短いため、指向性の幅が広い。そのため、壁面３に沿う方向（水平方向）だけでなく、壁面３の前方へも音が拡がることとなる。
【００３４】
また、図２に示すように、飾り柱１１，１２の空間部２０の長手方向における両端近傍（上端近傍及び下端近傍）には、空洞状の低音用スピーカ保持部２２が設けられていて、この低音用スピーカ保持部２２の内部に、ＡＶシステム１０の一部である低音用スピーカユニット４０が内蔵される。なお、本実施の形態では、２本の飾り柱１１，１２の夫々上端及び下端に低音用スピーカユニット４０が保持され、計４つの低音用スピーカユニット４０が保持されている。
【００３５】
低音用スピーカユニット４０は、その正面が、壁面３と反対方向、すなわち室内側を向くように内蔵されている。また、この低音用スピーカユニット４０は、反発磁気回路を用いたダイレクトドライブ方式のスピーカユニット、すなわちボイスコイル（不図示）にボビンを介さずに直接振動板が接着されたものである。かかる低音用スピーカユニット４０の前面円形部の直径は約１６ｃｍであり、全体の厚さは２５ｍｍである。この低音用スピーカユニット４０は、その構成上、振動板の表裏双方に音が出力されるようになっている。
【００３６】
上述の低音用スピーカユニット４０から出力された音は、図２に示すように、２手に分かれて音響迷路２３ａ，２３ｂ内を進行する。音を２手に分けて進行させるため、空間部２０内には仕切り壁２８が設けられていて、この仕切り壁２８によって音響迷路２３ａ，２３ｂが形成されている。すなわち、仕切り壁２８は、後述する第１のガイド壁４１及び第２のガイド壁４２と接続して、ここを始点としている。そして、仕切り壁２８は、かかる始点から飾り柱１１，１２の長手方向に沿って中高音スピーカユニット３０側に向かって延伸し、中高音用スピーカユニット３０が配置されるスピーカ保持部２１の壁との間で所定の間隙を有するようにその延伸部が止められている。
【００３７】
また、各音響迷路２３ａ，２３ｂへの音の進行を可能とするために、図４に示すように、低音用スピーカユニット保持部２２と音響迷路２３ａ，２３ｂとの間には、第１のガイド壁４１及び第２のガイド壁４２が設けられている。このうち、第１のガイド壁４１は、図２において紙面奥側が開放するように設けられていて、第２のガイド壁４２は、図２において紙面手前側が開放するように設けられている。そして、低音用スピーカユニット４０の室内側に出力された音は、第２のガイド壁４２が存在するため、音響迷路２３ａには入らず、音響迷路２３ｂ側のみに出力される。また、低音用スピーカユニット４０の壁側に出力された音は、第１のガイド壁４１が存在するため音響迷路２３ｂには入らず、音響迷路２３ａ側のみに出力される。
【００３８】
ここで、音響迷路２３ａ側に出力された音は、仕切り壁２８とスピーカ保持部２１の壁との間の間隙となる折り返し部２７を通過して音響迷路２３ｂを進行して出力ポート２５に到達する。この場合の音の経路が、図２におけるＣ１である。また、音響迷路２３ｂへ直接出力された音も、出力ポート２５に到達する。この場合の音の経路が、図２におけるＣ２である。そして、夫々経路Ｃ１と経路Ｃ２とを進行してきた音は、出力ポート２５で増幅されるように、すなわち半波長ずれて位相が合うように各経路の長さが調整されている。
【００３９】
なお、本実施の形態では、おおよそ１３０Ｈｚを中心周波数とすると共に、経路Ｃ１と経路Ｃ２との経路差が約１３０ｃｍで、この１３０ｃｍが１３０Ｈｚの周波数の半波長となるように設定されている。このとき、経路Ｃ１の長さは約１６０ｃｍ、経路Ｃ２の長さは約３０ｃｍである。
【００４０】
このような音響迷路部２３の構成により、出力ポート２５から出力される低音は、設定された周波数、この実施の形態では１３０Ｈｚにおいて２倍に増幅され、かつその前後の音をも有効に使えるものとなる。加えて、合成された低音は、上述のように構成された出力ポート２５を経てから外部へ出力されるので、出力ポート２５とキャビティによる共振周波数（両経路Ｃ１，Ｃ２の差に基づいて得られる周波数）を、上述の中心周波数に合わせることで、ロスのない低音の出力とすることができる。それと同時に、前後の周波数も付随して出力される。さらに、音響迷路２３ａ，２３ｂを構成する材料による共振も加えられるため、狭いキャビティでも有効に低音が再生できる。
【００４１】
上述のような構成の飾り柱１１，１２には、フラットパネルディスプレイ５０が取り付けられる。図２及び図３に示すように、この飾り柱１１，１２には、両飾り柱１１，１２が対向する木口部分となる両側面１１ａ，１２ａ間に、柱側固定部材としての、上側固定部材６０、及び同じく柱側固定部材としての下側固定部材７０が夫々２つ取り付けられている。これら上側固定部材６０及び下側固定部材７０は、図２に示すように、飾り柱１１，１２のうち適宜の高さ位置に取り付けられる。なお、この高さ位置は、後述する第２の実施の形態で述べるスクリーンが飾り柱１１，１２の上方側に位置する場合には、この図に示すように飾り柱１１，１２の中途部よりも下方にフラットパネルディスプレイ５０を位置させるように、上側固定部材６０及び下側固定部材７０が取り付けられる。
【００４２】
上側固定部材６０は、例えば金属、樹脂或いは木片等を材質とするブロック体であり、飾り柱１１，１２への取付を行うための孔部６１が夫々２つ貫通して設けられている。また、飾り柱１１，１２の側面１１ａ，１２ａには、上側固定用部材６０が取り付けられる部位に対応して、ネジ孔６２が夫々２つ形成されている。そのため、この孔部６１にネジ６３を差し込んで、側面１１ａ，１２ａのネジ孔６２にねじ込むことにより、該上側固定用部材６０が飾り柱１１，１２の側面１１ａ，１２ａに取付固定される。
【００４３】
また、下側固定部材７０の取付態様も、上述の上側固定部材６０の取付態様と同様である。すなわち、下側固定部材７０も上側固定部材６０と同様のブロック体であり、貫通する孔部７１が夫々２つ形成されていて、さらに飾り柱１１，１２の側面１１ａ，１２ａには下側固定部材７０が取付固定される部位に対応してネジ孔７２が夫々２つ形成されている。そして、孔部７１にネジ７３が差し込まれ、このネジ７３がねじ込まれることにより、下側固定部材７０が飾り柱１１，１２に取付固定される。
【００４４】
なお、孔部６１及び孔部７１は、図２においては共に２つずつ形成されており、しかも両者とも同ピッチ、同径に形成されており、ネジ孔６２，７２の共通化が図られている。しかしながら、ネジ孔６２，７２を共通化させずに、夫々別途のものとしても良い。また、各部のネジ孔６２，７２や対応するネジ６３，７３等を１つ又は３つ以上としても良い。
【００４５】
図３に示すように、上側固定部材６０はその側面形状が台形状に形成されていて、しかもその上底６０ａ（壁面３に接する部分で、長さが小さいもの）と下底６０ｂ（長さが小さいもの）とが、飾り柱１１，１２の上下方向と略平行となるように取り付けられる。しかも、上側固定部材６０のうち、その上面６４は、フラットディスプレイパネル５０が取り付けられる側が高くなると共に、フラットディスプレイパネル５０が存しない側（壁面３側）が低くなるように形成されている。すなわち、上側固定部材６０の鋭角部がフラットディスプレイ５０側に位置するように取り付けられている。
【００４６】
一方、図３に示すように、下側固定部材７０もその側面形状が台形状に形成されていて、さらに上述の上側固定部材６０と同様に、該台形状の上底７０ａ（フラットディスプレイパネル５０側で長さが小さいもの）と下底７０ｂ（壁面３側のもの）とが、飾り柱１１，１２の上下方向と略平行となるように取り付けられている。さらに、下側固定部材７０のうち、その下面側は、フラットディスプレイパネル５０が取り付けられる側が切り欠かれて高くなると共に、フラットディスプレイパネル５０が存しない側（壁面３側）が低くなって下方に突出するように形成されている。すなわち、下側固定部材７０の鋭角部が、フラットディスプレイ５０が存する側とは反対側に位置するように取り付けられている。
【００４７】
なお、図３においては、上側固定部材６０の鋭角部は、下側固定部材７０の鋭角部よりも、より鋭角となるように設けられている。
【００４８】
下側固定部材７０には、その下面から上方へ向かうようにネジ孔７４が形成されている。ネジ孔７４には、ネジ７５がねじ込まれて、後述するディスプレイ側固定金具を取付固定するように設けられている。
【００４９】
これら上側固定部材６０及び下側固定部材７０と係合するように、フラットディスプレイパネル５０の背面には、ディスプレイ側固定機構としての上側固定金具８０及び下側固定金具９０が取り付けられている。このうち、上側固定金具８０は、図３に示すように、Ｌを逆さにしかつＬ字形状により形成される角度を鋭角にした側面形状を為している。この側面形状は、上側固定金具８０の長さ方向の全体に亘っている。
【００５０】
また、上側固定金具８０は、フラットディスプレイパネル５０の幅方向の全体に亘るような長さを有している。すなわち、図２に示すように、該上側固定金具８０に形成された複数の取付孔８１にネジ８２をねじ込んで、該フラットディスプレイパネル５０の背面に上側固定金具８０を取付固定すると、フラットパネルディスプレイ５０の幅と上側固定金具８０の幅方向長さとが、略等しくなる。なお、上側固定金具８０は、その側片８０ｂの部分にてフラットディスプレイパネル５０に取付固定される。
【００５１】
上側固定金具８０がフラットディスプレイパネル５０の背面に取り付けられた場合、その上片８０ａは、側片８０ｂに対して鋭角を為すように形成されている。すなわち、上片８０ａと側片８０ｂとの接続部分となる付け根の部分から、該上片８０ａの突出端部（壁面３側）に向かうに従い、下方側に徐々に下がっていくように形成されている。なお、かかる上片８０ａが側片８０ｂと為す傾斜角度は、上述の上側固定部材６０の上面６４の傾斜角度（＝鋭角部の角度）と略一致するように形成されている。
【００５２】
また、下側固定金具９０は、その側面形状がＬ字形状に形成されていて、上述の上側固定金具８０と同様に長さ方向の全体に亘って側面形状がＬ字形状となっている。また、フラットパネルディスプレイ５０に対する下側固定金具９０の取り付けも、上述の上側固定金具８０と同様であり、下側固定金具９０の側片９０ｂに形成された複数の取付孔９１にネジ９２をねじ込んで、該フラットディスプレイパネル５０の背面に下側固定金具９０を取付固定する。
【００５３】
また、上述の下側固定部材７０のネジ孔７４に対応して、下側固定金具９０の下片９０ａには、挿通孔９３が形成されている。この挿通孔９３には、下側からネジ７５が挿通され、該ネジ７５がネジ孔７４にねじ込まれる。それによって、下側固定金具９０が下側固定部材７０に取付固定される。なお、挿通孔９３は、下片９０ａのうち両端側に夫々１つ形成されている。
【００５４】
ここで、下側固定金具９０がフラットディスプレイパネル５０の背面に取付固定された場合、その下片９０ａは、側片９０ｂに対して略直角を為すように形成されている。このため、図３に示すように下側固定金具９０と下側固定部材７０との間には、僅かな隙間Ｓが生じている。しかしながら、下片９０ａと側片９０ｂとは略垂直のみならず、下側固定部材７０の下面に倣う形状にする等、種々変形可能である。なお、上述のように僅かな隙間Ｓが生ずるように構成すると、フラットパネルディスプレイ５０の取付が容易となると共に、ネジ７５の締め付け方によって、隙間Ｓを小さくするように固く締め付けることができ、支え力が向上する。
【００５５】
以上のような構成を有する上側固定部材６０、及び下側固定部材７０を、飾り柱１１，１２に対して、位置合わせ及び寸法確認をしながら取付固定する。これと共に、フラットパネルディスプレイ５０の背面に対して、上側固定金具８０及び下側固定金具９０を、上述の上側固定部材６０及び下側固定部材７０との係合が行えるように位置合わせ及び寸法確認しながら、ネジ８２，９２で取付固定する。
【００５６】
その後に、フラットパネルディスプレイ５０を持ち上げて、該フラットディスプレイパネル５０に取り付けられた上側固定金具８０を上側固定部材６０に引っ掛ける。その際、フラットパネルディスプレイ５０の下側は、上側と比べ壁面３より遠ざけておく。そして、上側固定金具８０を上側固定部材６０の奥まで押し込みつつ、フラットパネルディスプレイ５０を上側固定部材６０を支点として回動させて、下側固定金具９０を下側固定部材７０に近づける。
【００５７】
上側固定金具８０の側片８０ｂが上側固定部材６０に当接する状態に近づくと、下側固定金具９０の下片９０ａの突出側先端部が、下側固定部材７０の隅角部（上底７０ａの下端）よりも低い部位となる。そして、上側固定部材６０を支点としてフラットパネルディスプレイ５０をさらに回動させると、該下側固定金具９０の側片９０ｂが下側固定部材７０の上底７０ａに当接する状態となる。
【００５８】
かかる上側固定金具８０及び下側固定金具９０の当接状態においては、挿通孔９３とネジ孔７４の位置が合う状態となっている。そして、挿通孔９３にネジ７５を挿通させ、さらにネジ７５をネジ孔７４にねじ込むことによって、下側固定金具９０と下側固定部材７０とが締結される。この場合、上側固定金具８０は逆Ｌ字を為していて、さらに上片８０ａが下方に向かって傾斜するように形成されているので、ネジ７５を締結固定した場合には、この上片８０ａが上側固定部材６０の上面６４に引っ掛かって外れない状態となる。
【００５９】
このようにして、フラットパネルディスプレイ５０の飾り柱１１，１２に対する取付固定が為され、以後、フラットパネルディスプレイ５０は安定した状態で、飾り柱１１，１２によって保持される。
【００６０】
このような構成のＡＶシステム１０によると、飾り柱１１，１２によってフラットパネルディスプレイ５０を支持する構成のため、該フラットパネルディスプレイ５０の支持のために十分な強度を確保できる。すなわち、従来においては、重量が例えば４０ｋｇ前後もあるフラットパネルディスプレイ５０を壁面３に支持させる場合、該壁面３の強度が心配であったが、飾り柱１１，１２に支持させる構成を採用することで、該壁面３の強度を心配する必要が無くなる。
【００６１】
また、従来のように壁面３に支持させる場合においては、柱等の構造体に取付金具を固定する場合が多く、取付場所が制限される、という不具合があった。しかしながら、本実施の形態では飾り柱１１，１２を用いることによって、取付場所の制限がなくなり、好みの場所にフラットパネルディスプレイ５０を設置可能となる。
【００６２】
さらに、飾り柱１１，１２は、フラットパネルディスプレイ５０よりも薄くなるように設けられているため、飾り柱１１，１２の出っ張りはほとんど感じられない。また、飾り柱１１，１２の壁面３に近い部分に、上側固定部材６０と下側固定部材７０を設けているので、フラットパネルディスプレイ５０の出っ張りを極力抑えることができる。
【００６３】
すなわち、従来のように、フラットパネルディスプレイ５０を専用のスタンドで支持した場合には、薄いフラットパネルディスプレイ５０の利点が阻害されるものとなる。これに対し、本発明では、フラットパネルディスプレイ５０の出っ張りは、該フラットパネルディスプレイ５０の厚さにほぼ等しい寸法に抑えられる。このため、薄いフラットパネルディスプレイ５０の利点を阻害することがない。
【００６４】
（第２の実施の形態）
次に、本発明の第２の実施の形態に係るＡＶシステム１００について、図５から図７に基いて説明する。なお、本実施の形態では、飾り柱１１，１２の基本的な構成は上述の第１の実施の形態と共通である。そのため、本実施の形態においては、上述の第１の実施の形態と共通する部分については同一の符号を用いて説明する。
【００６５】
本実施の形態の飾り柱１１，１２は、図５及び図６に示すように、飾り柱１１，１２のうち上側半分の構成が、上述の第１の実施の形態で述べた構成とは異なる。すなわち、一方の飾り柱１１の上側半分には、上述の第１の実施の形態の音響迷路部２３に代わって、スクリーン収納部１０１が設けられている。
【００６６】
また、音響迷路部２３のみならず、３つの中高音用スピーカユニット３０のうち、木口部分となる側面１１ａ，１２ａ側に面する開口部２６を有する中高音用スピーカユニット３０の高さ位置が、第１の実施の形態の場合とは異なり、下方にずらされている。すなわち、上述の第１の実施の形態では、フラットパネルディスプレイ５０が取り付けられた場合に干渉しないように、開口部２６ｃは開口部２６ａと同じ高さ位置となるように設けられている。しかしながら、本実施の形態では、スクリーン収納部１０１と干渉しないようにするため、開口部２６ｃは開口部２６ｂと同じ高さ位置となるように設けられている。
【００６７】
スクリーン収納部１０１には、スクリーン内蔵装置としてのスクリーン巻き取り装置１０２（図６で左端側に配置されている）が収納されている。スクリーン巻き取り装置１０２は、スクリーン１０３を巻き取って巻き取り筒１０４内部に収納するものであり、通常は該スクリーン１０３に対して巻き取る方向に付勢力を与えるものである。なお、かかるスクリーン１０３に対して、巻き取り方向へ向かう付勢力を付与するため、巻き取り筒１０４の内部には、不図示の巻き取り軸が巻き取り方向への回転力を付与された状態で位置保持するように設けられている。
【００６８】
また、飾り柱１１の側面１１ａには、スクリーン１０３の出入に対応した高さ位置に、該スクリーン１０３よりも幅広のスリット１０５が形成されている。そして、このスリット１０５を通過させることで、スクリーン１０３の出入が可能となる。また、スリット１０５は、後述する端部固定板１１０よりは幅狭となるように形成されている。それにより、スクリーン１０３が巻き取り筒１０４の内部に収納されている場合には、端部固定板１１０が飾り柱１１内には入り込まず、飾り柱１１の外側面に当接した状態となっている。
【００６９】
さらに、この巻き取り筒１０４の内部には、不図示の板バネが設けられている。板バネは、その一端側が巻き取り軸に固定されていると共に、該巻き取り軸に巻回された状態で巻き取り筒１０４の内部に収納されている。また、板バネの他端側は、スクリーン１０３に取付固定されている。それにより、スクリーン１０３を引き出すと、板バネは変形してその径が縮小される状態となる。そして、その縮小状態に抗して板バネは拡がろうとする。かかる拡がりの力によって、引き出されたスクリーン１０３に、巻き取り方向の付勢力が加えられる。また、スクリーン１０３が後述するマグネット１２０によって固定された場合には、板バネの付勢力によってスクリーン１０３が弛まずに、張られた状態を維持可能となっている。
【００７０】
なお、スクリーン１０３を巻き取るための板バネは、必要に応じて単数個ないし複数個、該巻き取り筒１０４の内部に配置される。また、板バネの代わりにコイルスプリング等の他の弾性部材を利用したり、モータ等の電動部材を利用するようにしても良い。
【００７１】
スクリーン１０３のうち、巻き取り筒１０４から離間する引き出し側端部には、端部固定板１１０が取り付けられている。この端部固定板１１０は、スクリーン１０３の幅（＝飾り柱１１，１２の高さ方向）よりも長くなるように設けられると共に、スクリーン１０３の引き出し側端部を幅方向の全体に亘って取付固定している。また、端部固定板１１０のうち、スクリーン１０３が取り付けられている側とは反対側の部位（他方の飾り柱１２と向かい合う側）には、磁性材料からなるマグネット受け１１１が取り付けられている。
【００７２】
なお、このマグネット受け１１１は、端部固定板１１０の両端の近傍に、一対となるように設けられている。しかしながら、マグネット受け１１１の個数は、これに限定されるものではない。
【００７３】
マグネット受け１１１に対応して、他方の飾り柱１２の対向する側面１２ａには、スクリーン支持機構としてのマグネット１２０が取り付けられている。マグネット１２０は、上述のマグネット受け１１１を磁力によって吸着するものであり、かかる吸着によってスクリーン１０３が張られた状態を維持するものである。そのため、マグネット１２０は、スクリーン１０３が張られた状態において、マグネット受け１１１と同程度の高さとなる位置に取り付けられている。また、マグネット１２０は、マグネット受け１１１と同じ個数だけ設けられている。
【００７４】
なお、このマグネット１２０の磁性力は、板バネの付勢力に抗してスクリーン１０３が張られた状態を維持可能な磁性力となっている。
【００７５】
以上のような構成のＡＶシステム１００では、スクリーン１０３の引き出し時には、該端部固定板１１０をつかんで該スクリーン１０３を引き出す。十分に引き出した後、マグネット受け１１１をマグネット１２０に吸着固定させる。それにより、スクリーン１０３が張られた状態、すなわち板バネの作用によって該スクリーン１０３が張られた状態を維持できる。
【００７６】
また、スクリーン１０３を収納する場合には、端部固定板１１０をつかんでマグネット受け１１１をマグネット１２０から引き離す。すると、板バネの作用により、スクリーン１０３の巻き取り動作が開始される。この巻き取り動作を手でガイドしながら、該端部固定板１１０を一方の飾り柱１１に向けて進行させる。そして、図７に示すように、端部固定板１１０が飾り柱１１の側面１１ａに当接した状態で、スクリーン１０３の巻き取り動作が終了する。
【００７７】
なお、図７においては、端部固定板１１０は側面１１ａと略同一面（わずかに突出している）を形成するように構成されている。すなわち、端部固定板１１０の肉厚より僅かに少ない厚さに対応した分だけ、側面１１ａは切り欠かれていて、スクリーン１０３の不使用時には端部固定板１１０が側面１１ａからほとんど突出しない状態で収納される。それにより、飾り柱１１の外観がすっきりとしたものとなる。これと共に、僅かな突出でスクリーン１０３を引き出し易くしている。
【００７８】
しかしながら、端部固定版１１０を側面１１ａに完全に収納する構成としても良い。このようにすると、飾り柱１１の外観が一層すっきりしたものとなる。かかる構成とした場合は、スクリーン１０３を引き出す際は、マグネット１２０と同様のマグネットが取り付けられた取り出し部材を使用する等の方法を採用する。
【００７９】
このような構成のＡＶシステム１００によると、飾り柱１１，１２によりスクリーン１０３を支持する構成のため、天井２の強度を気にすることなく、スクリーン１０３を使用可能となる。また、スクリーン１０３を使用する場合には、該スクリーン１０３が飾り柱１１の内部のスクリーン巻き取り装置１０２から引き出され、マグネット１２０によって吸着支持される。それにより、スクリーン１０３の使用時には、簡易にスクリーン１０３を引き出して使用することが可能となる。
【００８０】
また、スクリーン１０３の不使用時には、スクリーン巻き取り装置１０２内に、スクリーン１０３が巻き取られた状態で収納される。それにより、スクリーン１０３が外部に何等露出することがなく、外観上すっきりした状態となり、スクリーン１０３の見た目が邪魔になることがなくなる。
【００８１】
以上、本発明の第１の実施の形態、及び第２の実施の形態について述べたが、本発明はこれ以外にも種々変形可能である。以下、それについて述べる。
【００８２】
上述の第１の実施の形態では、飾り柱１１，１２に対するフラットパネルディスプレイ５０の取付固定を、上側固定部材６０、下側固定部材７０、上側固定金具８０、及び下側固定金具９０で行うこととしているが、これら上側固定部材６０、下側固定部材７０、上側固定金具８０、及び下側固定金具９０の形状や個数等は特に限定されるものではない。また、フラットパネルディスプレイ５０を飾り柱１１，１２に良好に取付固定可能であれば、柱側固定機構、及びディスプレイ側固定機構は、これら上側固定部材６０、下側固定部材７０、上側固定金具８０、及び下側固定金具９０には限定されるものではない。
【００８３】
また、上述の第２の実施の形態では、スクリーン巻き取り装置１０２は一方側の飾り柱１１内に収納されるものとしているが、飾り柱１１の対向する側面１１ａに、外部に露出するようにスクリーン巻き取り装置１０２が取り付けられるものとしても良い。
【００８４】
また、上述の第１の実施の形態においては、飾り柱１１，１２に対して、フラットパネルディスプレイ５０を取付固定させる場合について述べ、第２の実施の形態では飾り柱１１，１２の間でスクリーン１０３を支持させる場合について述べたが、飾り柱１１，１２は、フラットパネルディスプレイ５０の取付固定と、スクリーン１０３の支持とを同時に行う構成としても良い。
【００８５】
フラットパネルディスプレイ５０の取付固定と、スクリーン１０３の支持とを同時に行う場合には、上述の開口部２６ｃ及び対応する中高音用スピーカユニット３０が省かれるか、或いはフラットパネルディスプレイ５０やスクリーン１０３の取付位置を変更する等の設計変更により、該フラットパネルディスプレイ５０とスクリーン１０３との間に開口部２６ｃ及び対応する中高音用スピーカユニット３０を設ける構成となる。
【００８６】
また、上述の各実施の形態では、飾り柱１１，１２の各中高音用スピーカユニット３０は、夫々３個としているが、左右対称的に夫々４個の中高音用スピーカユニット３０を設けるようにしても良い。また、フラットパネルディスプレイ５０やスクリーン１０３を上下方向にスライド可能に配置できる構造としても良い。
【００８７】
【発明の効果】
本発明によれば、飾り柱によってフラットパネルディスプレイを支持するため、フラットパネルディスプレイの支持のために十分な強度を確保可能となる。それにより、壁面の強度を心配する必要が無くなる。また、飾り柱にフラットディスプレイパネルを支持させることで、取付場所が制限されない。さらに、飾り柱は、フラットパネルディスプレイよりも薄くなるように設けられていて、薄いフラットパネルディスプレイの利点を阻害することがない。
【００８８】
また、飾り柱によりスクリーンを支持する構成とすると、天井の強度を気にすることなく、スクリーンを気軽に使用可能となる。
【図面の簡単な説明】
【図１】本発明の第１の実施の形態に係るＡＶシステムの構成を示す斜視図であり、２本の飾り柱の間にフラットディスプレイを固定した状態を示す図である。
【図２】図１のＡＶシステムにおいて、断面図で示す飾り柱の内部と、フラットパネルディスプレイの取付固定の様子を示すフラットパネルディスプレイ部分の透視図である。
【図３】図１のＡＶシステムにおいて、飾り柱によるフラットディスプレイパネルの取付固定の様子を示す側断面図である。
【図４】図１のＡＶシステムにおいて、低音用スピーカユニット保持部と音響迷路部との境界部分を示す断面図である。
【図５】本発明の第２の実施の形態に係るＡＶシステムの構成を示す斜視図であり、スクリーンを飾り柱の間で支持可能な構成を示す図である。
【図６】図５のＡＶシステムにおいて、断面図で示す飾り柱の内部と、この飾り柱におけるスクリーンの取り付け及び収納の様子を示す透視図である。
【図７】図５のＡＶシステムにおいて、スクリーンを飾り柱の内部に収納した状態を示す斜視図である。
【符号の説明】
１…床
２…天井
３…壁面
１０，１００…ＡＶシステム
１１，１２…飾り柱
２０…空間部
２１…中高音用スピーカ保持部
２２…低音用スピーカ保持部
２３…音響迷路部
２５…出力ポート
３０…中高音用スピーカユニット
４０…低音用スピーカユニット
５０…フラットパネルディスプレイ
６０…上側固定部材（柱側固定機構の一部）
７０…下側固定部材（柱側固定機構の一部）
８０…上側固定金具（ディスプレイ側固定機構の一部）
９０…下側固定金具（ディスプレイ側固定機構の一部）
１０１…スクリーン収納部
１０２…スクリーン巻き取り装置（スクリーン内蔵機構）
１０３…スクリーン
１１０…端部固定板
１１１…マグネット受け
１２０…マグネット（スクリーン支持機構）
【図１】
0003731531.tif 000002
【図２】
0003731531.tif 000003
【図３】
0003731531.tif 000004
【図４】
0003731531.tif 000005
【図５】
0003731531.tif 000006
【図６】
0003731531.tif 000007
【図７】
0003731531.tif 000008